(57)【要約】【課題】放電灯の累積点灯時間に応じて、放電灯の照度を調整する放電灯点灯装置において、放電灯の累積点灯時間を手動リセットする作業を含む放電灯交換作業の効率を高くする。【解決手段】電源リセット判定回路１８４（点灯パターン判断部）は、ランプ点灯検出回路１７０がランプ２００（放電灯）の点灯を検出した場合に、電源スイッチＳＷ１が入れられたと判断する。電源リセット判定回路１８４は、あらかじめ定められたリセットパターンにしたがって電源スイッチＳＷ１が操作された場合に、リセット操作が行われたと判断し、メモリリセット信号発生回路１８５が、リセット信号を生成する。点灯計時カウンタ１８１（累積点灯時間測定部）及び点灯積算時間記憶素子１８２（累積点灯時間記憶部）は、リセット信号を入力すると、累積点灯時間をリセットする。【選択図】図１
2007123222.tif 000002
【特許請求の範囲】
【請求項１】
放電灯の累積点灯時間に応じて、上記放電灯の照度を補正する放電灯点灯装置において、
放電灯が点灯していることを検出する点灯検出部と、
上記放電灯が点灯していることを、上記点灯検出部が検出した場合に、上記放電灯が点灯している累積時間を測定し、累積点灯時間とする累積点灯時間測定部と、
上記累積点灯時間測定部が測定した累積点灯時間を記憶する累積点灯時間記憶部と、
上記放電灯が点灯していることを、上記点灯検出部が検出した場合に、
その後の上記放電灯の消灯を検出し、検出した上記放電灯の点灯及び消灯のパターンが、あらかじめ定められた所定のパターンに合致するか否かを判断する点灯パターン判断部と、
上記放電灯の点灯及び消灯のパターンが、あらかじめ定められた所定のパターンに合致すると、点灯パターン判断部が判断した場合に、上記累積点灯時間記憶部が記憶した累積点灯時間をリセットする点灯時間リセット部と、
を有することを特徴とする放電灯点灯装置。
【請求項２】
上記点灯パターン判断部は、
上記放電灯点灯装置の電源が切れたことを検出する電源断検出部を有し、
上記放電灯点灯装置の電源が切れたことを、上記電源断検出部が検出した場合に、上記放電灯の消灯を検出する
ことを特徴とする請求項１に記載の放電灯点灯装置。
【請求項３】
上記点灯パターン判断部は、
上記放電灯の点灯後、所定の時間経過前に上記放電灯を消灯することを所定の回数繰返し、更に、上記放電灯を点灯した場合に、上記点灯及び消灯のパターンが所定のパターンに合致すると判断する
ことを特徴とする請求項１に記載の放電灯点灯装置。
【請求項４】
請求項１に記載の放電灯点灯装置を有することを特徴とする照明器具。
【請求項５】
放電灯点灯装置が、放電灯の累積点灯時間に応じて、上記放電灯の照度を補正する放電灯照度補正方法において、
点灯検出部が、放電灯が点灯していることを検出する点灯検出工程と、
上記点灯検出工程において、上記放電灯が点灯していることを、上記点灯検出部が検出した場合に、累積点灯時間測定部が、上記放電灯が点灯している累積時間を測定し、累積点灯時間とする累積点灯時間測定工程と、
上記累積点灯時間測定工程において、上記累積点灯時間測定部が測定した累積点灯時間を、累積点灯時間記憶部が記憶する累積点灯時間記憶工程と、
上記点灯検出工程において、上記放電灯が点灯していることを、上記点灯検出部が検出した場合に、
点灯パターン判断部が、その後の上記放電灯の消灯を検出し、検出した上記放電灯の点灯及び消灯のパターンが、あらかじめ定められた所定のパターンに合致するか否かを判断する点灯パターン判断工程と、
上記点灯パターン判断工程において、上記放電灯の点灯及び消灯のパターンが、あらかじめ定められた所定のパターンに合致すると、点灯パターン判断部が判断した場合に、上記累積点灯時間記憶部が記憶した累積点灯時間を、点灯時間リセット部がリセットする点灯時間リセット工程と、
を有することを特徴とする放電灯照度補正方法。
【請求項６】
上記放電灯点灯装置は、更に、
上記放電灯点灯装置に上記放電灯が接続しているか否かを検出する接続検出部と、
上記放電灯点灯装置の電源の投入及び切断を検出する電源操作検出部と、
上記放電灯点灯装置に上記放電灯が接続していないことを、上記接続検出部が検出した場合に、上記電源操作検出部が検出した上記放電灯点灯装置の電源の投入及び切断から、電源操作のパターンを検出し、検出した電源操作のパターンがあらかじめ定められた所定のパターンに合致するか否かを判断する操作パターン判断部と、
を有し、
上記点灯時間リセット部は、更に、
上記電源操作のパターンがあらかじめ定められた所定のパターンに合致すると、上記操作パターン判断部が判断した場合に、上記累積点灯時間記憶部が記憶した累積点灯時間をリセットする
ことを特徴とする請求項１に記載の放電灯点灯装置。
【請求項７】
上記操作パターン判断部は、
上記放電灯点灯装置の電源の投入後、所定の時間経過前に上記放電灯を消灯することを所定の回数繰返し、更に、上記放電灯を点灯した場合に、上記電源操作のパターンが所定のパターンに合致すると判断し、
上記点灯パターン判断部は、
上記放電灯の点灯後、所定の時間経過前に上記放電灯を消灯することを、上記所定の回数よりも多い所定の回数繰返し、更に、上記放電灯を点灯した場合に、上記点灯及び消灯のパターンが所定のパターンに合致すると判断する
ことを特徴とする請求項６に記載の放電灯点灯装置。
【発明の詳細な説明】
【技術分野】
【０００１】
本発明は、放電灯点灯装置及び放電灯照度補正方法に関する。特に、放電灯点灯装置の初期照度補正を手動リセットする方式及び方法に関する。
【背景技術】
【０００２】
放電灯の光出力は、点灯時間の経過と共に低下し、定格寿命時間経過後は初期の７０％程度となる。
一方、部屋の照度設計は、この光出力の低下を考慮し、７０％程度の光出力で適正となるように設計される。
したがって、点灯初期から寿命まで余分な光出力、すなわち、余分な電力が積算されることになる。
そこで、この余分な電力をカットすることを目的として、点灯初期から寿命までの光出力を概略７０％一定に調光制御する「初期照度補正」が行われる。
【０００３】
初期照度補正は、放電灯の累積点灯時間に基づいて行われるので、放電灯を新品に交換した場合には、累積点灯時間をリセットする必要がある。
【０００４】
放電灯の交換を検出して、自動的に累積点灯時間をリセットする技術には、例えば、特許文献２に記載の技術がある。
また、放電灯の交換を検出できない場合、電源スイッチの操作により、手動で累積点灯時間をリセットする技術には、例えば、特許文献１及び特許文献２に記載の技術がある。
【特許文献１】特開２０００−２２３２９６号公報
【特許文献２】特開２００１−０１５２７６号公報
【特許文献３】特開２００１−２８４０９１号公報
【非特許文献１】松下電工「施設照明カタログ２００３〜２００４」２４ページ
【発明の開示】
【発明が解決しようとする課題】
【０００５】
特許文献１及び特許文献２に記載の手動リセット方式は、どちらも、電源スイッチの操作のみを検出し、それに基づいてリセット動作を行うものである。
この方式では、電源スイッチの操作のみに基づいて、リセット動作を行うので、放電灯の状態は考慮されていない。
したがって、１つの電源スイッチに複数の放電灯点灯装置が接続されている場合、そのすべてがリセットされてしまい、一部の放電灯のみを交換した場合に対応できないという課題を有する。
【０００６】
また、非特許文献１に記載の手動リセット方式は、放電灯を外した状態で、電源スイッチを操作することにより、リセット動作を行うものである。
この方式では、放電灯を交換するに際して、古い放電灯を全部外してから、電源スイッチを操作して、手動リセットを行い、その後、新しい放電灯を取りつけるという作業手順となり、作業効率が悪いという課題を有する。
【０００７】
本発明は、例えば、上記のような課題を解決するためになされたもので、放電灯交換の作業効率を高くするとともに、１つの電源スイッチに複数の放電灯点灯装置が接続している場合において、一部の放電灯のみを交換した場合にも対応できるようにすることを目的をする。
【課題を解決するための手段】
【０００８】
本発明に係る放電灯点灯装置は、
放電灯の点灯時間に応じて、上記放電灯の照度を補正する放電灯点灯装置において、
放電灯が点灯していることを検出する点灯検出部と、
上記放電灯が点灯していることを、上記点灯検出部が検出した場合に、上記放電灯が点灯している累積時間を測定し、累積点灯時間とする累積点灯時間測定部と、
上記累積点灯時間測定部が測定した累積点灯時間を記憶する累積点灯時間記憶部と、
上記放電灯が点灯していることを、上記点灯検出部が検出した場合に、
その後の上記放電灯の消灯を検出し、検出した上記放電灯の点灯及び消灯のパターンが、あらかじめ定められた所定のパターンに合致するか否かを判断する点灯パターン判断部と、
上記放電灯の点灯及び消灯のパターンが、あらかじめ定められた所定のパターンに合致すると、点灯パターン判断部が判断した場合に、上記累積点灯時間記憶部が記憶した累積点灯時間をリセットする点灯時間リセット部と、
を有することを特徴とする。
【発明の効果】
【０００９】
本発明によれば、例えば、放電灯が点灯していることを点灯検出部が検出した場合に、点灯パターン判断部が放電灯の点灯及び消灯のパターンを所定のパターンと比較して、リセット操作であるか否かを判別するので、ランプ交換作業がすべて終了したあとに、リセット操作をすればよく、作業の効率がよいという効果を奏する。
【発明を実施するための最良の形態】
【００１０】
実施の形態１．
実施の形態１を、図１〜図４を用いて説明する。
図１は、この実施の形態における照明器具の機能ブロックの構成の一例を示すブロック構成図である。
照明器具は、蛍光灯インバータ１００（電子安定器、放電灯点灯装置の一例）、ランプ２００、電源スイッチＳＷ１を有する。
【００１１】
蛍光灯インバータ１００は、整流平滑回路１１０、ドライブ回路１２０、周波数変換回路１３０、負荷回路１４０、ランプ外し検出回路１５０、ランプ寿命検出回路１６０、ランプ点灯検出回路１７０、初期照度補正制御回路１８０、論理和回路ＯＲ１を有する。
【００１２】
整流平滑回路１１０は、交流電源ＡＣ（例えば、１００Ｖ（ボルト）、５０Ｈｚ（ヘルツ）または６０Ｈｚの商用電源）から供給された電圧を、直流に変換する。
整流平滑回路１１０は、例えば、ダイオードブリッジＤＢ、昇圧チョークＴ１、制御ＩＣ（Ｉｎｔｅｇｒａｔｅｄ  Ｃｉｒｃｕｉｔ：集積回路）ＩＣ１、ＭＯＳ（Ｍｅｔａｌ  Ｏｘｉｄｅ  Ｓｅｍｉｃｏｎｄｕｃｔｏｒ）ＦＥＴ（Ｆｉｅｌｄ  Ｅｆｆｅｃｔ  Ｔｒａｎｓｉｓｔｏｒ：電界効果型トランジスタ）Ｑ１、昇圧ダイオードＤ１、電源平滑コンデンサＣ１により、構成される。
なお、制御ＩＣ（ＩＣ１）は、例えば、整流平滑回路１１０が出力した直流電圧から分圧したものを電源として作動する。以下説明する回路のうち、論理回路により構成される部分（例えば、ドライブ回路１２０、初期照度補正制御回路１８０など）も同様である。
【００１３】
ドライブ回路１２０は、整流平滑回路１１０が整流した直流電圧を、高周波（数１０ｋＨｚ（キロヘルツ）程度）の交流に変換するための、スイッチング信号を生成する。
ドライブ回路１２０は、発振停止信号発生回路１２１、調光制御回路１２２、発振回路１２３、ドライバ１２４を有する。
【００１４】
発振停止信号発生回路１２１は、ランプ外し検出回路１５０がランプ２００（放電灯）が外れたことを検出した場合や、ランプ寿命検出回路１６０がランプの寿命を検出した場合に、スイッチング信号の生成を停止する信号（発信停止信号）を出力する。
調光制御回路１２２は、発振回路１２３の発振周波数を変化させる信号を出力する。これにより、ランプ２００に供給される電力を調整できるので、ランプ２００の照度を調整できる。
発振回路１２３は、調光制御回路１２２から入力した信号によって定まる周波数の高周波信号を生成する。
ドライバ１２４は、発振回路１２３が生成した高周波信号を増幅し、スイッチング信号とする。
【００１５】
周波数変換回路１３０は、ドライブ回路１２０が生成したスイッチング信号に基づき、整流平滑回路１１０が整流した直流電圧を、高周波の交流に変換する。
周波数変換回路１３０は、例えば、ＭＯＳＦＥＴ（Ｑ１，Ｑ２）、カップリングコンデンサＣ２を有する。
【００１６】
負荷回路１４０は、例えば、バラストチョークＴ２、始動コンデンサＣ３などを有する。
【００１７】
ランプ２００は、ソケットなどに取り外し可能に接続される蛍光灯である。
ランプ２００は、負荷回路１４０の一部として、蛍光灯インバータ１００から供給される電力によって、点灯する。
【００１８】
ランプ外し検出回路１５０は、ランプ２００がソケットに接続されているか否かを検出し、検出結果を示す信号（ランプ外し検出信号）を出力する。例えば、バラストチョークＴ２を流れる電流を検出することにより、ランプ２００が接続されているか否かを判定する。
ランプ外し検出回路１５０が出力したランプ外し検出信号は、論理和回路ＯＲ１に入力する。論理和回路ＯＲ１は、入力した信号の論理和をとる。論理和回路ＯＲ１が出力した信号（発信停止トリガ信号）は、発振停止信号発生回路１２１に入力する。これにより、ランプ外し検出回路１５０がランプ２００が接続されていないことを検出した場合に、インバータの発振を停止させ、負荷回路１４０に対する電力供給を停止し、省電力を図る。
【００１９】
ランプ寿命検出回路１６０は、ランプ２００の寿命が末期であることを検出し、検出結果を示す信号（ランプ寿命検出信号）を出力する。例えば、カップリングコンデンサＣ２の電圧（カップリングコンデンサ電圧）を測定することにより、ランプ寿命末期に発生する整流点灯（エミレス状態）や予熱継続（いくら予熱しても放電を開始しない状態）を電気的に検出することで、ランプ２００の寿命が末期であることを検出する。
ランプ寿命検出回路１６０が出力したランプ寿命検出信号は、論理和回路ＯＲ１に入力する。論理和回路ＯＲ１は、入力した信号の論理和をとる。論理和回路ＯＲ１が出力した信号（発信停止トリガ信号）は、発振停止信号発生回路１２１に入力する。これにより、ランプ寿命検出回路１６０がランプ２００の寿命末期を検出した場合に、インバータの発振を停止させ、負荷回路１４０に対する電力供給を停止し、異常電流による回路への負荷、回路の損傷等を防止するとともに、利用者にランプ寿命を通知し、交換を促す。
【００２０】
ランプ点灯検出回路１７０（点灯検出部の一例）は、ランプ２００が点灯しているか否かを検出し、検出結果を示す信号（点灯検出信号）を出力する。例えば、カップリングコンデンサＣ２の電圧（カップリングコンデンサ電圧）を測定することにより、ランプ２００が点灯していることを検出する。
【００２１】
初期照度補正制御回路１８０は、ランプ２００が点灯している累積時間（累積点灯時間）に基づいて、ランプ２００の照度の調整する調光信号を生成する。初期照度補正制御回路１８０が生成した調光信号は、調光制御回路１２２に入力し、ランプ２００の照度を調整する。
【００２２】
ランプ２００は、新品のときは照度が明るく、点灯時間の経過と共に低下する。定格寿命時間経過後は、初期の約７０％程度の光出力となる。
部屋の照度設計は、この光出力の低下を考慮し、７０％程度の光出力で適正となるよう設計されているので、点灯初期から寿命までの間は、余分な光出力がある（明る過ぎる）。すなわち、余分な電力が消費される。
そこで、この余分な電力をカットするため、点灯初期から寿命までの間の光出力が概略７０％程度で一定となるよう調光制御する。
【００２３】
初期照度補正制御回路１８０は、点灯計時カウンタ１８１（累積点灯時間測定部の一例）、点灯積算時間記憶素子１８２（累積点灯時間記憶部の一例）、調光信号生成回路１８３、電源リセット判定回路１８４（電源断検出部、点灯パターン判断部の一例）、メモリリセット信号発生回路１８５（点灯時間リセット部の一例）、論理和回路ＯＲ２を有する。
【００２４】
点灯計時カウンタ１８１は、ランプ２００が点灯している累積時間を測定する。
点灯積算時間記憶素子１８２は、例えば、不揮発性メモリであり、点灯計時カウンタ１８１が測定した累積時間を記憶する。
【００２５】
図２は、この実施の形態において、点灯計時カウンタ１８１が、ランプ２００の累積点灯時間を測定する処理の流れの一例を示すフローチャート図である。
【００２６】
電源スイッチＳＷ１が入れられることにより、各部が電力供給を受け、動作を開始する。
Ｓ２１において、点灯計時カウンタ１８１は、点灯積算時間記憶素子１８２が記憶した累積時間を読み出して、カウンタ回路に保持する。
Ｓ２２において、ランプ点灯検出回路１７０が、ランプ２００の点灯を検出している場合に、点灯計時カウンタ１８１が、一定の時間間隔（例えば１時間）の経過を検出する。
Ｓ２３において、点灯計時カウンタ１８１が、カウンタ回路に保持した累積時間を１増やし、点灯積算時間記憶素子１８２に書き込む。
例えば、点灯計時カウンタ１８１は、一定の時間間隔（例えば１時間ごと）でパルスを発生し、発生したパルスとランプ点灯検出回路１７０の出力との論理積をとることで、ランプ点灯時にのみ発生するパルスとした上で、そのパルスをカウンタ回路に入力して、累積時間を１増やす。
累積時間が変化した場合、点灯計時カウンタ１８１は、すぐに、点灯積算時間記憶素子１８２の記憶内容を書き換え、新しい累積時間を点灯積算時間記憶素子１８２に記憶させる。電源が遮断されると、点灯計時カウンタ１８１の内容は失われるが、点灯積算時間記憶素子１８２の内容は失われないので、次回電源投入時には、再び、点灯積算時間記憶素子１８２から累積時間を読み出すことで、正しく、累積時間を測定できる。
【００２７】
調光信号生成回路１８３は、点灯計時カウンタ１８１が測定した累積時間を入力し、入力した累積時間に基づいて、調光信号を生成し、出力する。例えば、累積時間と、それに対応した照度調整値を記憶したテーブルを保持した不揮発性の記憶素子（ＲＯＭ（Ｒｅａｄ  Ｏｎｌｙ  Ｍｅｍｏｒｙ）など）を参照することで、累積時間から調光信号を生成する。
【００２８】
電源リセット判定回路１８４は、リセットパターンを検出し、リセットパターンを検出したことを示す信号（手動リセット検出信号）を出力する。
リセットパターンは、ランプの点灯・消灯のパターンで構成される。
電源リセット判定回路１８４は、ランプ点灯検出回路１７０が出力した点灯検出信号を入力することにより、ランプの点灯を検出する。
また、電源リセット判定回路１８４は、例えば、ダイオードブリッジＤＢが出力する脈流電圧を入力することにより、ランプの消灯を検出する。
【００２９】
メモリリセット信号発生回路１８５は、点灯計時カウンタ１８１及び点灯積算時間記憶素子１８２の内容をリセットするリセット信号を生成し、出力する。
点灯計時カウンタ１８１及び点灯積算時間記憶素子１８２は、メモリリセット信号発生回路１８５が生成したリセット信号を入力すると、その内容をリセットし、０にする。
これにより、ランプ２００が新品であると認識され、その認識に基づいて、調光されることになる。
【００３０】
論理和回路ＯＲ２は、電源リセット判定回路１８４が出力した手動リセット検出信号と、ランプ寿命検出回路１６０が出力したランプ寿命検出信号とを入力し、論理和をとって出力する。メモリリセット信号発生回路１８５は、論理和回路ＯＲ２の出力信号（リセットトリガ信号）を入力する。
メモリリセット信号発生回路１８５は、論理和回路ＯＲ２が出力したリセットトリガ信号を入力した場合に、リセット信号を生成する。したがって、電源リセット判定回路１８４がリセットパターンを検出した場合、及び、ランプ寿命検出回路１６０がランプ２００の寿命末期を検出した場合に、リセット信号を生成する。
【００３１】
ランプ寿命検出回路１６０がランプ２００の寿命末期を検出した場合、ランプ２００への電力供給が停止し、ランプ２００を交換しない限り、電力供給は再開されない。したがって、次回取りつけられるランプ２００は新品であると考えてよい。そこで、ランプ２００の累積点灯時間をリセットする。
【００３２】
一方、器具清掃などの目的で、ランプ２００を外し、再び同じランプ２００を装着することも考えられるので、ランプ２００が外されたことを、ランプ外し検出回路１５０が検出した場合でも、累積点灯時間はリセットしない。
【００３３】
したがって、寿命になる前にランプ２００を交換した場合には、手動で累積点灯時間をリセットする必要がある。
【００３４】
この実施の形態では、ランプ２００の電源スイッチの操作を検出し、所定のパターンで電源スイッチが操作された場合に、累積点灯時間をリセットすることとしている。
【００３５】
所定のリセットパターンとは、通常の電源スイッチの操作では、あり得ないパターンであることが必要である。通常の電源スイッチの操作によって、累積点灯時間がリセットされないようにするためである。
複雑なパターンであれば、通常の操作ではあり得ないパターンとなるが、あまり面倒な操作が必要なパターンは、操作性が低下し、好ましくない。
【００３６】
図３は、この実施の形態において、電源リセット判定回路１８４が、リセットパターンとして判定する操作パターンの一例を示す図である。
【００３７】
まず、この操作を行う前段階として、ランプ２００を新品に交換する。その後、以下の操作を行う。あるいは、この以下の操作により、点灯時間をリセットした後に、ランプ２００を交換してもよい。
【００３８】
Ｓ０１において、操作者は、ランプ２００の電源スイッチＳＷ１を入れる。予熱時間経過後、ランプ２００が点灯する。
Ｓ０２において、操作者は、ランプ２００の点灯を確認後、３秒以内に、ランプ２００の電源スイッチＳＷ１を切る。３秒以上ランプ２００を点灯させた場合は、通常の点灯操作であるので、リセットパターンとはならない。それまでの操作は無効となり、キャンセルされる。手動リセットをしたい場合は、１回目からやり直しとなる。
Ｓ０３において、操作者は、Ｓ０１〜Ｓ０２の操作をあと２回（合計３回）繰り返す。これにより、たまたま３秒以内に消灯した場合と区別できる。繰返しの回数は何回でもよいが、あまり少ないと、誤認識の可能性が高くなり、あまり多いと、操作の手間が増えるので、３回程度が好ましい。
Ｓ０４において、操作者は、ランプ２００の電源スイッチＳＷ１を入れる。
リセット受け付けにより、累積点灯時間がリセットされ、ランプ２００の照度を７０％程度に調整するので、操作者は、それをランプ２００が暗くなるのを目で見て確認する。
なお、Ｓ０２と次のＳ０１との間の電源オフ時間、および、３回目のＳ０２とＳ０４との間の電源オフ時間は、何秒でもよいものとする。ただし、０．１秒以下だと検出できない可能性があり、１秒未満だと予熱時間がなくなるため、１秒以上とすることが好ましい。
また、リセット動作を操作者が確認できるようにするため、リセット受け付け（Ｓ０４）直後にリセットを行うのではなく、３秒程度の間をおいて、明るい状態から暗い状態への変化を実感できるようにすることが好ましい。
【００３９】
次に、電源リセット判定回路１８４が、上記操作パターンを判定する動作について説明する。
【００４０】
電源リセット判定回路１８４は、例えば、リセット操作回数を記憶する不揮発性メモリを有している。不揮発性メモリは、リセット操作の１周期（Ｓ０１〜Ｓ０２の操作）が行われた回数を記憶する。
【００４１】
図４は、この実施の形態において、初期照度補正制御回路１８０、特に電源リセット判定回路１８４が、リセットパターンを判定する処理の流れの一例を示すフローチャート図である。
【００４２】
電源スイッチＳＷ１が入れられることにより、各部が電力供給を受け、動作を開始する。
Ｓ１１において、ランプ点灯検出回路１７０が、ランプ２００の点灯を検出し、点灯検出信号を出力する。電源リセット判定回路１８４は、ランプ点灯検出回路１７０が出力した点灯検出信号を入力することにより、ランプの点灯を検出する。
【００４３】
Ｓ１２において、電源リセット判定回路１８４は、リセット操作回数を不揮発性メモリから読み出し、その内容に応じて、処理を分岐する。リセット操作回数が２以下の場合は、Ｓ１３へ進む。リセット操作回数が３の場合は、Ｓ１５に進む。
【００４４】
Ｓ１３において、電源リセット判定回路１８４は、リセット操作回数を１増やし、不揮発性メモリに記憶する。
【００４５】
Ｓ１４において、電源リセット判定回路１８４は、ランプ点灯からの経過時間を測定し、３秒経過するまで待つ。３秒経過した場合には、Ｓ１７へ進む。
【００４６】
Ｓ１７において、電源リセット判定回路１８４は、リセット操作回数を０として、不揮発性メモリに記憶させる。
【００４７】
３秒経過前に、電源スイッチＳＷ１が切られた場合には、交流電源ＡＣからの電力供給が断たれるので、初期照度補正制御回路１８０に対する電力供給も断たれ、処理が中断する。したがって、Ｓ１７は実行されず、不揮発性メモリには、１つ増えたリセット操作回数が記憶される。
【００４８】
一方、３秒経過後に、電源スイッチＳＷ１が切られた場合には、Ｓ１７が実行される。これは、通常の点灯操作なので、不揮発性メモリが記憶したリセット操作回数は０となる。
【００４９】
Ｓ１２で、リセット操作回数が３の場合は、Ｓ１５へ進む。
【００５０】
Ｓ１５において、電源リセット判定回路１８４は、リセットパターンであると判定する。
Ｓ１６において、メモリリセット信号発生回路１８５は、リセット信号を生成し、出力する。
Ｓ１７において、電源リセット判定回路１８４は、リセット操作回数を０として、不揮発性メモリに記憶させる。
【００５１】
これにより、リセット操作が認識され、累積点灯時間が０にリセットされる。したがって、ランプ２００が新品に交換されたものとして、ランプ２００の照度を調整する。
【００５２】
このように、ランプ２００を接続した状態で、リセット操作を行うので、ランプ２００の交換が終了してからリセット操作を行うことができる。よって、ランプ交換の手間が削減できるという効果を奏する。
また、ランプ２００を正しく装着していない場合には、リセット操作時にランプ２００が点灯しないので、すぐに識別ができるので、リセット操作を中断し、装着しなおすなどの作業を行うことができるという効果を奏する。
【００５３】
また、ランプ２００の点灯を検出して、リセット操作を判定するので、ランプ２００が接続されていない場合には、リセット操作とならない。１つの電源スイッチ２１０に、複数の蛍光灯インバータ１００が接続されている場合には、選択的にリセットすることが可能となる。
【００５４】
更に、電源断操作を、初期照度補正制御回路１８０に対する電力供給の停止をもって判定するので、判定のための論理回路を簡略にでき、回路の小型化、製造コストの削減ができるという効果を奏する。
【００５５】
なお、電源断操作の判定は、他の方式でもよい。例えば、ダイオードブリッジＤＢが出力する脈流電圧を、コンパレータ（比較器）が所定の電圧と比較することで、電源断を判定することとしてもよい。
あるいは、電源ライン（整流平滑回路１１０の入力）からダイオードなどによって分離した信号を電源リセット判定回路１８４に入力し、一定期間のパルス回数をカウントし、所定の回数（電源周波数により、例えば、１秒あたり５０回または６０回）に満たない場合は、電源断と判定することとしてもよい。
【００５６】
このように、電源断を判定することにより、電源断後の後処理のため、論理回路に供給される動作電圧を保持するコンデンサ等を有し、電源断後のしばらくの間、論理回路に電力が供給される構成となっている場合であっても、正しく操作パターンを判定できるという効果を奏する。
【００５７】
また、この実施の形態では、初期照度補正制御回路１８０を論理回路によって構成しているが、例えば、マイクロコンピュータなどにより構成してもよい。
【００５８】
実施の形態２．
実施の形態２を、図５〜図７を用いて説明する。
図５は、この実施の形態における照明器具の機能ブロックの構成の一例を示すブロック構成図である。
なお、実施の形態１で説明した照明器具の機能ブロックと共通するブロックについては、共通の符号を付し、説明を省略する。
蛍光灯インバータ１００は、ランプ接続検出回路１９０を有する。
【００５９】
ランプ接続検出回路１９０は、照明器具にランプ２００が接続されているか否かを検出する回路である。
ランプ接続検出回路１９０は、接続検出部の一例である。
ランプ接続検出回路１９０は、例えば、ランプ２００にランプ検出電圧を加え、電流が流れるか否かを検出することにより、蛍光灯インバータ１００にランプ２００が接続されているか否かを検出する。
ランプ接続検出回路１９０は、検出したランプ接続状態を示す信号を、接続検出信号として出力する。
【００６０】
電源リセット判定回路１８４は、電源操作検出部を有する。
電源操作検出部は、ダイオードブリッジＤＢの出力電圧を入力することにより、電源スイッチＳＷ１がオン状態であるか、オフ状態であるかを検出する。
電源リセット判定回路１８４は、ランプ点灯検出回路１７０が出力した点灯検出信号を入力する。
電源リセット判定回路１８４は、ランプ接続検出回路１９０が出力した接続検出信号を入力する。
電源リセット判定回路１８４は、検出した電源スイッチＳＷ１の状態、入力した点灯検出信号及び接続検出信号に基づいて、電源スイッチＳＷ１の操作がリセットパターンと合致するか否かを判定する。
電源リセット判定回路１８４は、点灯パターン判断部及び電源操作パターン判断部の一例である。
電源リセット判定回路１８４は、例えば、不揮発性メモリを有し、点灯リセット操作回数及び外しリセット操作回数を記憶する。
【００６１】
図６は、この実施の形態における初期照度補正制御回路１８０が、リセットパターンを判定する処理の流れの一例を示すフローチャート図である。
【００６２】
操作者が電源スイッチＳＷ１をオンし、電源が投入される。
【００６３】
Ｓ３１において、ランプ接続検出回路１９０が、蛍光灯インバータ１００にランプ２００が接続されているか否かを検出する。
Ｓ３２において、ランプ２００が接続されていない場合には、Ｓ３３へ進む。ランプ２００が接続されている場合には、Ｓ３５へ進む。
【００６４】
Ｓ３３において、電源リセット判定回路１８４は、電源投入後１秒経過するまで待つ。
電源スイッチＳＷ１の誤操作によって短い時間、電源が投入された場合に、カウントしないためである。
【００６５】
Ｓ３４において、電源リセット判定回路１８４が、不揮発性メモリが記憶した外しリセット操作回数を１増やし、電源リセット判定処理を終了する。
これにより、ランプ２００を外した状態で、電源スイッチＳＷ１をオンするたびに、外しリセット操作回数が１ずつ増加する。
【００６６】
Ｓ３５において、ランプ点灯検出回路１７０が、ランプ２００の点灯を検出する。
【００６７】
Ｓ３６において、電源リセット判定回路１８４が、不揮発性メモリが記憶した外しリセット操作回数を読み出す。
Ｓ３７において、読み出した外しリセット操作回数が３回以上の場合には、Ｓ３８へ進む。外しリセット操作回数が２回以下の場合には、Ｓ３９へ進む。
【００６８】
Ｓ３８において、電源リセット判定回路１８４が、不揮発性メモリが記憶した外しリセット操作回数を０にクリアし、Ｓ４２へ進む。
外しリセットパターンを検出し、累積点灯時間をリセットしたのち、再びリセットがかからないようにするためである。
【００６９】
Ｓ３９において、電源リセット判定回路１８４が、不揮発性メモリが記憶した外しリセット操作回数を０にクリアする。
外しリセット操作回数が２回以下で、ランプ２００が接続された場合には、累積点灯時間をリセットしない。リセットしたい場合には、もう一度最初から操作する。
【００７０】
Ｓ４０において、電源リセット判定回路１８４が、不揮発性メモリが記憶した点灯リセット操作回数を読み出す。
Ｓ４１において、読み出した点灯リセット操作回数が５回の場合には、Ｓ４２へ進む。点灯リセット操作回数が４回以下の場合には、Ｓ４３へ進む。
【００７１】
Ｓ４２において、メモリリセット信号発生回路１８５が、リセット信号を生成し、出力する。
点灯計時カウンタ１８１及び点灯積算時間記憶素子１８２は、メモリリセット信号発生回路１８５が出力したリセット信号を入力し、記憶した累積点灯時間をリセットし、Ｓ４５へ進む。
【００７２】
Ｓ４３において、電源リセット判定回路１８４が、不揮発性メモリが記憶した点灯リセット操作回数を１増やす。
これにより、ランプ２００を接続した状態で、電源スイッチＳＷ１をオンしてランプ２００を点灯するたびに、点灯リセット操作回数が１ずつ増加する。
【００７３】
Ｓ４４において、電源リセット判定回路１８４が、ランプ２００点灯後３秒経過するまで待つ。
点灯リセット操作と通常の点灯操作とを区別するためである。
【００７４】
Ｓ４５において、電源リセット判定回路１８４が、不揮発性メモリが記憶した点灯リセット操作回数を０にクリアし、電源リセット判定処理を終了する。
累積点灯時間をリセットした場合、および、通常の点灯操作をした場合には、点灯リセット操作回数をクリアする。リセットしたい場合には、もう一度最初から操作する。
【００７５】
図７は、この実施の形態において、電源リセット判定回路１８４が、リセットパターンとして判定する操作パターンの一例を示す図である。
【００７６】
この例では、電源スイッチＳＷ１の操作により、ランプ２００ａ，ランプ２００ｂの２つのランプが点灯・消灯するものとする。
ランプ２００ａ，２００ｂは、それぞれ異なる蛍光灯インバータ１００ａ，１００ｂに接続するものとする。蛍光灯インバータ１００ａ，１００ｂは、共通の交流電源ＡＣに、電源スイッチＳＷ１を介して接続している。
【００７７】
最初の状態では、ランプ２００ａは蛍光灯インバータ１００ａに接続しているが、ランプ２００ｂは交換のため外してあり、蛍光灯インバータ１００ｂに接続していないものとする。
【００７８】
まず、電源スイッチＳＷ１をオンにする。
蛍光灯インバータ１００ａでは、ランプ接続検出回路１９０がランプ２００ａの接続を検出し（Ｓ３１）、ランプ点灯検出回路１７０がランプ２００ａの点灯を検出して（Ｓ３５）、外しリセット操作回数を読み出す（Ｓ３６）。外しリセット操作回数が０なので（Ｓ３７）、外しリセット操作回数をクリアし（Ｓ３９）、点灯リセット操作回数を読み出す（Ｓ４０）。点灯リセット操作回数も０なので（Ｓ４１）、点灯リセット操作回数を１増やして１にする（Ｓ４３）。
【００７９】
その後、電源スイッチＳＷ１をオフにする。
ランプ２００ａの点灯から３秒経過していないので、Ｓ４５は実行されずに処理を終了する。したがって、点灯リセット操作回数は、１のままである。
【００８０】
蛍光灯インバータ１００ｂでは、ランプ接続検出回路１９０がランプ２００ａが接続していないことを検出し（Ｓ３１）、電源投入後１秒経過するのを待ってから（Ｓ３３）、外しリセット操作回数を１つ増やして１にする（Ｓ３４）。
【００８１】
同様の操作を３回繰り返した時点で、蛍光灯インバータ１００ａの点灯リセット操作回数は３、蛍光灯インバータ１００ｂの外しリセット操作回数も３になる。
【００８２】
次に、蛍光灯インバータ１００ｂにランプ２００ｂを接続してから、電源スイッチＳＷ１をオンにする。
【００８３】
蛍光灯インバータ１００ａでは、ランプ接続検出回路１９０がランプ２００ａの接続を検出し（Ｓ３１）、ランプ点灯検出回路１７０がランプ２００ａの点灯を検出して（Ｓ３５）、外しリセット操作回数を読み出す（Ｓ３６）。外しリセット操作回数が０なので（Ｓ３７）、外しリセット操作回数をクリアし（Ｓ３９）、点灯リセット操作回数を読み出す（Ｓ４０）。点灯リセット操作回数は３なので（Ｓ４１）、点灯リセット操作回数を１増やして４にする（Ｓ４３）。
ランプ２００ａの点灯から３秒経過しても電源スイッチＳＷ１がオフにならないので（Ｓ４４）、点灯リセット操作回数をクリアする（Ｓ４５）。
したがって、蛍光灯インバータ１００ａの累積点灯時間はリセットされず、ランプ２００ａは調光されない。
【００８４】
蛍光灯インバータ１００ｂでは、ランプ接続検出回路１９０がランプ２００ａの接続を検出し（Ｓ３１）、ランプ点灯検出回路１７０がランプ２００ａの点灯を検出して（Ｓ３５），外しリセット操作回数を読み出す（Ｓ３６）。外しリセット操作回数が３なので（Ｓ３７）、外しリセット操作回数をクリアし（Ｓ３８）、リセット信号が生成される（Ｓ４２）。
したがって、蛍光灯インバータ１００ｂの累積点灯時間はリセットされ、ランプ２００ｂは調光される。
【００８５】
このように、点灯リセット操作の操作回数を、外しリセット操作の操作回数よりも多く設定しておけば、同じ電源スイッチＳＷ１に接続している蛍光灯インバータ１００が複数ある場合でも、そのなかの一部を選択的にリセットすることができる。
【００８６】
図８は、この実施の形態において、電源リセット判定回路１８４が、リセットパターンとして判定する操作パターンの別の例を示す図である。
【００８７】
図７の場合と同様に、ランプ２００ａは蛍光灯インバータ１００ａに接続しておく。ランプ２００ｂは蛍光灯インバータ１００ｂに接続せず、外しておく。
次に、電源オンオフ操作を５回繰り返し、その後、ランプ２００ｂを蛍光灯インバータ１００ｂに接続してから、電源スイッチＳＷ１をオンにする。
【００８８】
蛍光灯インバータ１００ａでは、ランプ接続検出回路１９０がランプ２００ａの接続を検出し（Ｓ３１）、ランプ点灯検出回路１７０がランプ２００ａの点灯を検出して（Ｓ３５）、外しリセット操作回数を読み出す（Ｓ３６）。外しリセット操作回数が０なので（Ｓ３７）、外しリセット操作回数をクリアし（Ｓ３９）、点灯リセット操作回数を読み出す（Ｓ４０）。点灯リセット操作回数は５なので（Ｓ４１）、リセット信号が生成される（Ｓ４２）。
したがって、蛍光灯インバータ１００ａの累積点灯時間はリセットされ、ランプ２００ａは調光される。
【００８９】
蛍光灯インバータ１００ｂでは、ランプ接続検出回路１９０がランプ２００ａの接続を検出し（Ｓ３１）、ランプ点灯検出回路１７０がランプ２００ａの点灯を検出して（Ｓ３５），外しリセット操作回数を読み出す（Ｓ３６）。外しリセット操作回数が５なので（Ｓ３７）、外しリセット操作回数をクリアし（Ｓ３８）、リセット信号が生成される（Ｓ４２）。
したがって、蛍光灯インバータ１００ｂの累積点灯時間もリセットされ、ランプ２００ｂは調光される。
【００９０】
このように、点灯リセット操作の操作回数を、外しリセット操作の操作回数よりも多く設定しておけば、同じ電源スイッチＳＷ１に接続している蛍光灯インバータ１００が複数ある場合でも、ランプの接続状態にかかわらず、すべてを一斉にリセットすることができる。
【００９１】
この例では、１つの電源スイッチＳＷ１に接続している蛍光灯インバータ１００が２つの場合について説明したが、もっと多くてもよい。
【００９２】
その場合、蛍光灯インバータ１００に接続した多数のランプ２００のうち、数本だけを新品に交換することもあれば、テナント替えや大掃除などにより、全数を一斉に交換することもある。
【００９３】
この実施の形態の蛍光灯インバータ１００及び照明器具によれば、一部のランプ２００を交換した場合には、交換するランプ２００を外した状態で、電源スイッチＳＷ１を操作することにより、リセットしたい蛍光灯インバータ１００だけに限定してリセットできるという効果を奏する。
【００９４】
この実施の形態の蛍光灯インバータ１００及び照明器具によれば、すべてのランプ２００を交換した場合には、すべての交換を済ませてから、電源スイッチＳＷ１を操作することにより、すべての蛍光灯インバータ１００を一斉にリセットでき、余分な手間がかからないという効果を奏する。
【００９５】
この実施の形態の蛍光灯インバータ１００及び照明器具によれば、点灯リセット操作の操作回数を、外しリセット操作の操作回数よりも多く設定してあるので、一部の蛍光灯インバータ１００だけを限定してリセットするための電源スイッチＳＷ１の操作により、ランプ２００を接続している他の蛍光灯インバータ１００はリセットされないという効果を奏する。
【００９６】
なお、この例では、点灯リセット操作と外しリセット操作と、操作回数により区別しているが、他の方式（例えば、オン時間の長さ、オフ時間の長さなど）により区別してもよい。
しかし、操作回数により区別するほうが、操作者が操作を覚えやすく、操作ミスも少なくなるので、好ましい。
【００９７】
また、操作回数の例として、点灯リセット操作の操作回数を５回とし、外しリセット操作の操作回数を３回としているが、他の回数でもよい。ただし、上記説明したように、点灯リセット操作の操作回数のほうを、外しリセット操作の操作回数よりも多い回数に設定しておくことが好ましい。
【００９８】
ランプ接続検出回路１９０は、無負荷やフィラメント断線ランプ装着次の発振を防止するために、従来の蛍光灯インバータも備えているものである。したがって、新たに回路を増設する必要がなく、小型・低コストな蛍光灯インバータとすることができる。
【００９９】
実施の形態１で説明した方式では、１つの電源スイッチＳＷ１に接続されている複数の蛍光灯インバータ１００に接続されているランプ２００をすべて交換した場合には、ランプ２００を交換した後に電源スイッチＳＷ１を操作することにより、一斉に点灯累積時間をリセットすることができる。
また、１つの電源スイッチＳＷ１に接続されている複数の蛍光灯インバータ１００に接続されているランプ２００のうち、一部だけを交換した場合には、リセットしたくないランプ２００を外した状態で、電源スイッチを操作することにより、操作時にランプ２００が接続されている蛍光灯インバータ１００のみを選択して、リセットすることができる。
【０１００】
この方式は、リセットしたくないランプ２００がない場合や、あっても少数である場合には、効率がよいが、リセットしたくないランプ２００が多数ある場合には、リセットしたくないランプ２００を外して電源スイッチＳＷ１を操作するため、手間がかかる。
【０１０１】
この実施の形態で説明した方式によれば、交換するランプ２００が比較的少数の場合には、リセットしたくないランプ２００はそのままで、リセットしたいランプ２００を交換のために外した状態で、電源スイッチＳＷ１を操作することにより、操作時にランプ２００が接続されていない蛍光灯インバータ１００のみを選択して、リセットすることができ、実施の形態１の方式よりも手間がかからないというメリットがある。
【０１０２】
また、１つの電源スイッチＳＷ１に接続されている複数の蛍光灯インバータ１００に接続されているランプ２００をすべて交換した場合には、実施の形態１と同様、ランプ２００を交換した後に電源スイッチＳＷ１を操作することにより、一斉に点灯累積時間をリセットすることができ、余分な手間がかからないというメリットがある。
【０１０３】
なお、初期照度補正制御回路１８０を動作させる直流電源は、交流電源ＡＣから供給される電力より生成する。
例えば、ダイオードブリッジＤＢの出力電圧を平滑し、分圧して所望の電圧として、初期照度補正制御回路１８０の直流電源とする。
このとき、直流電源にコンデンサを設けて、電源スイッチＳＷ１を短時間オフした場合には、コンデンサから電力を供給する構成としておけば、電源スイッチＳＷ１にちょっと触ってしまって短時間電源を切ってしまった場合などであっても、初期照度補正制御回路１８０が動作を継続し、誤動作することはない。
【図面の簡単な説明】
【０１０４】
【図１】実施の形態１における照明器具の機能ブロックの構成の一例を示すブロック構成図。
【図２】実施の形態１において、点灯計時カウンタ１８１が、ランプ２００の累積点灯時間を測定する処理の流れの一例を示すフローチャート図。
【図３】実施の形態１において、電源リセット判定回路１８４が、リセットパターンとして判定する操作パターンの一例を示す図。
【図４】実施の形態１において、初期照度補正制御回路１８０、特に電源リセット判定回路１８４が、リセットパターンを判定する処理の流れの一例を示すフローチャート図。
【図５】実施の形態２における照明器具の機能ブロックの構成の一例を示すブロック構成図。
【図６】実施の形態２における初期照度補正制御回路１８０が、リセットパターンを判定する処理の流れの一例を示すフローチャート図。
【図７】実施の形態２において、電源リセット判定回路１８４が、リセットパターンとして判定する操作パターンの一例を示す図。
【図８】実施の形態２において、電源リセット判定回路１８４が、リセットパターンとして判定する操作パターンの別の例を示す図。
【符号の説明】
【０１０５】
１００  蛍光灯インバータ、１１０  整流平滑回路、ＤＢ  ダイオードブリッジ、Ｔ１  昇圧チョーク、ＩＣ１  制御ＩＣ、Ｑ１〜Ｑ３  ＭＯＳＦＥＴ、Ｄ１  昇圧ダイオード、Ｃ１  電源平滑コンデンサ、１２０  ドライブ回路、１２１  発振停止信号発生回路、１２２  調光制御回路、１２３  発振回路、１２４  ドライバ、１３０  周波数変換回路、Ｃ２  カップリングコンデンサ、１４０  負荷回路、Ｔ２  バラストチョーク、Ｃ３  始動コンデンサ、１５０  ランプ外し検出回路、１６０  ランプ寿命検出回路、１７０  ランプ点灯検出回路、１８０  初期照度補正制御回路、１８１  点灯計時カウンタ、１８２  点灯積算時間記憶素子、１８３  調光信号生成回路、１８４  電源リセット判定回路、１８５  メモリリセット信号発生回路、１９０  ランプ接続検出回路、２００  ランプ、ＡＣ  交流電源、ＳＷ１  電源スイッチ。
【図１】
2007123222.tif 000003
【図２】
2007123222.tif 000004
【図３】
2007123222.tif 000005
【図４】
2007123222.tif 000006
【図５】
2007123222.tif 000007
【図６】
2007123222.tif 000008
【図７】
2007123222.tif 000009
【図８】
2007123222.tif 000010